(57)【要約】      （修正有）【課題】片手でリクライニングできるスイングチェアの背もたれ構造を提供する。【解決手段】主に一つの台１、一つの固定部品２、一つのバックフレーム３、一つの調整フレーム４及び一つの固定クリップ５で構成する片手でリクライニングできるスイングチェアの背もたれ構造である。一つの固定部品２は該台１に設け、一つの固定台２１及び一つの固定蓋２２によって組成する。該固定台２１の中に複数の固定スロットを具有し、且つ該固定蓋は一つの開口を具有する。一つのバックフレームの両端にそれぞれ一つの長方形のスロットを設け、且つ該バックフレームの両端の内部には、それぞれ一つの穴を具有する移動部品及び一つのスプリングを設置する。一つの調整フレームの両端に一つの調整横棒４１を形成し、該調整横棒を該バックフレームの長方形スロット、移動部品の穴、固定蓋の開口に通してから、固定台内にある固定スロットに掛合し、且つ該調整横棒は該移動部品の内部にて該スプリングの一端と抵触する。【選択図】図１
0003176344.tif 000002
【実用新案登録請求の範囲】
【請求項１】
一つの台１、一つの固定部品、一つのバックフレーム、一つの調整フレーム及び一つの固定クリップを含み、
該固定部品を台に設置し、一つの固定台を具有し、該固定台に複数の固定スロットを具有し、
該バックフレームの両端にそれぞれ一つの長方形のスロットを設け、且つ該バックフレームの両端の内部には、それぞれ一つの穴を具有する移動部品及び一つのスプリングを設置し、
一つの調整フレームの両端に一つの調整横棒を形成し、該調整横棒を該バックフレームの長方形スロット、移動部品の穴、固定蓋の開口に通してから、固定台内にある固定スロットに掛合し、且つ該調整横棒は該移動部品の内部にて該スプリングの一端と抵触し、及び、
該固定クリップは該バックフレームと該調整フレームを挟持固定した後、該固定クリップに一つの固定リベットを具有し、該バックフレームを通し、且つ該バックフレーム内にて該スプリングの別端を抵触することを特徴とする片手でリクライニングできるスイングチェアの背もたれ構造。
【請求項２】
前記台の上に一つのフロントフレームを設けることを特徴とする請求項１記載の片手でリクライニングできるスイングチェアの背もたれ構造。
【請求項３】
前記台に一つのフロント支持フレーム及び一つのバック支持フレームを設けることを特徴とする請求項１記載の片手でリクライニングできるスイングチェアの背もたれ構造。
【請求項４】
前記固定部品は更に一つの固定蓋を具有し、該固定蓋は一つの開口を具有することを特徴とする請求項１記載の片手でリクライニングできるスイングチェアの背もたれ構造。
【考案の詳細な説明】
【技術分野】
【０００１】
本考案は背もたれの調整構造に関し、特に片手でリクライニング操作ができるスイングチェアの背もたれ構造に関する。
【背景技術】
【０００２】
赤ちゃんは産まれてからある期間内において、特に０ヶ月から６ヶ月の赤ちゃんは、常に様々な方法でなだめる必要があるため、スイングベッドやスイングチェアなどの設備が案出されている。スイングベッドは赤ちゃんを寝かせ、底部に優しくゆらゆらと揺れる装置を設置し、赤ちゃんが長時間寝る際に使用するためのものである一方、スイングチェアは赤ちゃんを座らせてスイングさせる構造を具有する。
【０００３】
前記のスイングチェアは子供が大きくなるにつれ、子供の寝る或いは座る姿勢を調整できる機能が必要となる。しかし、従来技術の調整方法は背もたれの左右両側の回転軸にそれぞれ一組のツマミを設置し、ユーザー(両親など)が腰を屈めて或いはしゃがんでツマミを回して調整し、且つ左右片方ずつそれぞれ操作してロックする必要があり、調整ステップが細かく、ユーザーにとって便利なデザインとは言えず、例えば立っているとき、或いは家事をするときに腰を屈まないと調整できないのは大変不便であることを鑑みて、更なる改善が必要であった。
【先行技術文献】
【特許文献】
【０００４】
【特許文献１】特開２００６−１８１０５３号公報
【考案の概要】
【考案が解決しようとする課題】
【０００５】
前記公知構造の欠点を解決するため、本考案は特に月齢の小さい赤ちゃん向けに、世話をする両親がスイングチェアを使って赤ちゃんの不安な気持ちをなだめることができ、更に機械の構造を介し、片手で背もたれのリクライニングの角度を調整でき、赤ちゃんが快適な姿勢で寝る、及び簡単に背もたれの角度を小さくして座れるよう調整できるなど、広くユーザーの希望を叶え、赤ちゃんの時期の椅子に対するニーズを満足する片手でリクライニングできるスイングチェアの背もたれ構造を提供することを主な課題とする。
【課題を解決するための手段】
【０００６】
前記課題を解決するために、本考案は片手でリクライニングできるスイングチェアの背もたれ構造を提供するものである。本考案に含まれるのは一つの台及び一つの固定部品、バックフレーム、調整フレーム及び固定クリップである。一つの固定部品は該台に設け、一つの固定台及び一つの固定蓋によって組成する。該固定台の中に複数の固定スロットを具有し、且つ該固定蓋は一つの開口を具有する。一つのバックフレームの両端にそれぞれ一つの長方形のスロットを設け、且つ該バックフレームの両端の内部には、それぞれ一つの穴を具有する移動部品及び一つのスプリングを設置する。一つの調整フレームの両端に一つの調整横棒を形成し、該調整横棒を該バックフレームの長方形スロット、移動部品の穴１、固定蓋の開口に通してから、固定台内にある固定スロットに掛合し、且つ該調整横棒は該移動部品の内部にて該スプリングの一端と抵触する。一つの該固定クリップは該バックフレームと該調整フレームを挟持固定し、且つ該固定クリップにある一つの固定リベットが該バックフレームを通し、且つ該バックフレーム内にて該スプリングの別端を抵触する。
【０００７】
本考案の特徴は、簡単な機械構造だけで簡単にリクライニングの操作をすることができる。同時に両手が空いて操作できない場合でも、例えば片手は赤ちゃんをなだめなければならない女性など比較的力が弱いユーザーにとって、片手だけで調整フレームを引っ張ることができ、同時にバックフレームを上げる或いは下に下げるだけで背もたれをリクライニングすることができるのは、大変便利である。このほか、固定台の内部に複数の固定スロットを形成することにより、数段階にリクライニングをすることができ、様々なニーズに応えることができる。
【考案の効果】
【０００８】
本考案は、簡単な機械構造によって、同時に両手が空いて操作できない場合でも、手軽に片手だけで調整フレームを引っ張ってバックフレームを上げる或いは下に下げるだけで背もたれをリクライニングすることができる。
【図面の簡単な説明】
【０００９】
【図１】本考案の立体略図である。
【図２】本考案の固定台と固定蓋の分解平面略図である。
【図３】本考案の一部の部品の立体略図である。
【図４Ａ】本考案のバックフレームと調整フレームの平面断面図である。
【図４Ｂ】本考案のバックフレームと調整フレームの平面断面図である。
【図５】本考案の立体略図である。
【考案を実施するための形態】
【００１０】
本考案による片手でリクライニングできるスイングチェアの背もたれ構造を明確に示すために図に沿って詳細な説明を行う。
【実施例】
【００１１】
図１に示すのは、本考案の片手でリクライニングできるスイングチェアの背もたれ構造であり、それに含まれるのは一つの台１及び一つの固定部品２、バックフレーム３、調整フレーム４及び固定クリップ５である。
【００１２】
該一つの台１の底部は水平状ではなく円弧型であるため、場所を移動せずに前後にスイングすることができる。また、前後に一つのフロント支持フレーム１１及びバック支持フレーム１２を設ける。一つの固定部品２はリベット１３によって該台１に套設する。図２に示すように、該固定部品２は一つの固定台２１及び一つの固定蓋２２によって組成する。該固定台２１の中に複数の固定スロット２１１を具有し、該固定蓋２２は一つの開口２２１を具有し、且つ該開口２２１の輪郭の形状は、固定スロット２１１の形状と同じである。一つのバックフレーム３の形状は一つのＵ字型であり、該Ｕ字型の開口である二つの頂端はそれぞれ一つの長方形のスロット３１を設ける(図３を参照)。また、該バックフレーム３の両端の内部には、それぞれ一つの穴３２１を具有する移動部品３２及び一つのスプリング３２２を設置する(図４Ａを参照)。一つの調整フレーム４(図１、図３及び図４Ａを参照)の両端に一つの調整横棒４１を形成し、該調整横棒４１を該バックフレーム３の長方形スロット３１、移動部品３２の穴３２１、固定蓋２２の開口２２１に通してから、固定台２１内にある固定スロット２１１に掛合し、且つ該調整横棒４１は該移動部品３２の内部にて該スプリング３２２の一端と抵触する。図３及び図４Ａに示すように、該固定クリップ５は該バックフレーム３と該調整フレーム４を挟持固定した後、その時該調整フレーム４は固定クリップ５の中で前後方向に移動することができる。更に一つの固定リベット５１が該バックフレーム３を通し、且つ該バックフレーム３内にて該スプリング３２２の別端を抵触する(図４Ａを参照)。
【００１３】
続いて本考案を使用する際の作動情況を説明する。まず図１に示すのは、本考案のバック支持フレーム３を水平にした状態図である。この時調整フレーム４の調整横棒４１は図２にある固定台２１の第一固定スロット２１１１に掛合し、即ち位置Ａである。ユーザーがバックフレーム３を上向きに立たせる際、バックフレーム３のＵ字型底部を握り、上向きに上げるだけで、第一固定スロット２１１１から第二固定スロット２１１２の境界輪郭は比較的円弧なデザインであるため、調整横棒４１は第一固定スロット２１１１から第二固定スロット２１１２の境界輪郭に沿って移動し、即ち位置Ａから位置Ｂに移動して最後に位置Ｃに移動して第二固定スロット２１１２に掛合する。同時に該調整横棒４１は次第に図４Ａの状態から上向きに移動して図４Ｂの状態になる。位置Ｂから位置Ｃに移動すると、調整横棒４１はスプリング３２２のリバウンド作用により、再び図４Ａの状態に戻り、調整横棒４１は第二固定スロット２１１２と掛合する。本考案にある複数の固定スロット２１１の数は４つであるため、ユーザーはバックフレーム３を４段階に調整することができる。即ち調整横棒４１をそれぞれ第一固定スロット２１１１、第二固定スロット２１１２、第三固定スロット２１１３及び第四固定スロット２１１４と掛合することができ、該作動方法は前記と同じである。図５に示すのは、調整横棒４１が第四固定スロット２１１４と掛合し、位置Ｄに位置し、且つバックフレーム３は最も高い位置にある状態図である。
【産業上の利用可能性】
【００１４】
逆に本考案が図５の状態にある際、且つユーザーがバックフレーム３を最も低い状態に戻したいとき、ユーザーは片手で図５にある調整フレーム４をバックフレーム３の方向に引っ張ると、該調整横棒４１は同様に図４Ａの状態から図４Ｂの状態に変わり、この時調整横棒４１は図２の位置Ｄから位置Ｅに移動する。続いてユーザーが更にややバックフレーム３を地面の方向に引っ張ると、調整横棒４１は位置Ｅから位置Ｆに移動する。続いてユーザーが引っ張っていた調整フレーム４を離すと、該調整横棒４１は図４Ｂの状態から図４Ａの状態に変わり、且つ同時に図２の位置Ｆから位置Ｇに移動し、即ち該調整横棒４１は第四固定スロット２１１４から第三固定スロット２１１３に移動して掛合する。同じくバックフレーム３を図１の状態に戻したい場合、操作ステップは前記と同じであり、調整横棒４１を位置Ｄから位置Ｅに移動し、続いて大きくバックフレーム３を地面の方向に引っ張ることで、調整横棒４１を位置Ｅから位置Ｈに移動させ、最後に位置Ａに戻ることができる。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１  台
１１  フロント支持フレーム
１２  バック支持フレーム
１３  リベット
２  固定部品
２１  固定台
２１１  固定スロット
２１１１  第一固定スロット
２１１２  第二固定スロット
２１１３  第三固定スロット
２１１４  第四固定スロット
２２  固定蓋
２２１  開口
３  バックフレーム
３１  長方形スロット
３２  移動部品
３２１  穴
３２２  スプリング
４  調整フレーム
４１  調整横棒
５  固定クリップ
５１  固定リベット
６  フロントフレーム
Ａ  位置
Ｂ  位置
Ｃ  位置
Ｄ  位置
Ｅ  位置
Ｆ  位置
Ｇ  位置
【図１】
0003176344.tif 000003
【図２】
0003176344.tif 000004
【図３】
0003176344.tif 000005
【図４Ａ】
0003176344.tif 000006
【図４Ｂ】
0003176344.tif 000007
【図５】
0003176344.tif 000008